(57)【要約】【課題】  利便性の高い遊技機を提供する。【解決手段】  遊技機では、リール（３Ｌ，３Ｃ，３Ｒ）は、複数の表示窓（４Ｌ，４Ｃ，４Ｒ）の各々において、複数種類の図柄を一定方向に移動表示すること及び停止表示することが可能なように構成されている。主制御回路（７１）に格納された停止テーブルは、複数の表示窓（４Ｌ，４Ｃ，４Ｒ）において、内部当選役に対応する図柄組合せに対し、一の図柄が欠ける図柄組合せを停止表示するように構成した特定停止態様停止テーブルを含む。主制御回路（７１）は、図柄が移動表示したときに計時を開始し、その計時時間が所定時間である場合に、停止ボタン（７Ｌ，７Ｃ，７Ｒ）の操作の検出によらずに、特定停止態様停止テーブルに基づいて、複数の表示部における移動表示を予め定めた順番で停止させる。【選択図】      図３
2006149573.tif 000002
【特許請求の範囲】
【請求項１】
遊技者による操作に応じて、単位遊技の開始を指令する遊技開始指令信号を出力する遊技開始指令手段と、
複数種類の図柄を一定方向に移動表示すること及び前記図柄を停止表示することが可能な複数の表示部を有する図柄表示手段と、
前記複数の表示部夫々に対応して設けられ、遊技者による操作に応じて、対応する表示部における図柄の移動表示の停止を指令する停止指令信号を出力する停止指令手段と、
前記遊技開始指令信号を検出したことに基づいて当選役を決定する当選役決定手段と、
前記移動表示の停止を制御するための情報である停止制御情報を格納する停止制御情報格納手段と、
前記当選役決定手段の決定結果に基づいて、前記停止制御情報格納手段に格納された停止制御情報のうちから前記移動表示の停止の制御に用いる停止制御情報を決定する停止制御情報決定手段と、
前記停止指令信号を検出したことに基づいて、当該停止指令信号に対応する表示部の移動表示を、前記停止制御情報決定手段により決定された停止制御情報に基づいて停止させる停止制御手段と、
前記複数の表示部が前記図柄を停止表示した場合に、前記表示部毎に予め定めた図柄停止位置を結ぶ複数のラインに沿って並ぶ図柄の種類に基づいて、遊技者の利益と対応付けられた役の図柄組合せが並んでいるか否かを判定する役判定手段と、
前記役判定手段が判定した役に対応する利益を遊技者に付与する利益付与手段と、
前記遊技開始指令信号が出力されたとき、又はその後の所定のときのいずれかのときに計時を開始する計時手段と、
前記計時手段による計時時間が所定時間である場合に、前記停止指令信号の検出によらずに前記複数の表示部における前記移動表示を予め定めた順番で停止させる自動停止手段と、
を備え、
前記停止制御情報格納手段に格納された停止制御情報は、
前記複数のラインのうちの特定ラインにより結ばれた図柄停止位置のうち、
前記予め定めた順番の最後に対応する表示部以外の表示部の図柄停止位置に、遊技者の利益と対応付けられた特定役に対応する図柄組合せを構成する図柄を停止表示し、
前記予め定めた順番の最後に対応する表示部の図柄停止位置に、前記特定役に対応する図柄組合せを構成する図柄以外の図柄を停止表示するように構成した特定停止制御情報を含み、
前記自動停止手段は、前記当選役決定手段が前記特定役を当選役として決定した場合に、前記特定停止制御情報に基づいて前記移動表示を停止させることを特徴とする遊技機。
【請求項２】
請求項１記載の遊技機において、
前記特定停止制御情報は、
前記複数のラインのうちの前記特定ラインにより結ばれた図柄停止位置のうち、
前記予め定めた順番の最後に対応する表示部の図柄停止位置に、前記特定役に対応する図柄組合せを構成する図柄以外の図柄であり、かつ前記予め定めた順番の最後に対応する表示部の図柄停止位置のいずれかに停止表示されることにより所定の役の成立が確定する図柄以外の図柄を停止表示するように構成したことを特徴とする遊技機。
【発明の詳細な説明】
【技術分野】
【０００１】
本発明は、遊技機に関する。
【背景技術】
【０００２】
例えば、停止ボタンを備えたスロットマシン、いわゆるパチスロ機は、正面の表示窓内に複数の図柄を変動表示する回転リールを複数配列して構成した機械的変動表示装置、或いはリール上の図柄を画面に表示する電気的変動表示装置を有する。ここで、機械的変動表示装置を備えるものにおいては、遊技者のスタート操作に応じて、制御手段が変動表示装置を駆動制御して各リールを回転させることにより、図柄を変動表示させ、一定時間後自動的に或いは遊技者の停止操作により、各リールの回転を順次停止させる。このとき、表示窓内に現れた各リールの図柄が特定の組合せ（成立図柄）になった場合にメダル、又はコイン等の遊技媒体を払出す。
【０００３】
現在主流の機種は、複数種類の成立態様を有している。特に、ある役が成立したときは、１回のメダルの払出しに終わらず、所定期間、通常の状態よりも条件の良い遊技状態となる。このような役として、遊技者に相対的に大きい利益を与えるゲームを所定回数行える役（「ビッグボーナス」と称し、以下「ＢＢ」と略記する）と、遊技者に相対的に小さい利益を与えるゲームを所定回数行える役（「レギュラーボーナス」と称し、以下「ＲＢ」と略記する）がある。
【０００４】
また、現在主流の機種においては、有効化された所定のライン（以下「有効ライン」という）に沿って所定の図柄の組合せが並んでメダルやコイン等が払出を受けるためには、内部的な抽選処理（以下「内部抽選」という）により役に当選（以下「内部当選」という）し、且つその内部当選した役（以下「内部当選役」という）の成立を示す図柄組合せを有効ラインに停止できるタイミングで遊技者が停止操作を行うことが要求される。つまり、いくら内部当選したとしても、遊技者の停止操作のタイミングが悪いと内部当選役を成立させることができない。すなわち、停止操作をタイミングよく行う技術が要求される（「目押し」といわれる技術介入性の比重が高い）遊技機が現在の主流である。
【０００５】
このような遊技機では、演出効果を高めた遊技機が提案されている（例えば、特許文献１参照。）。この遊技機によれば、遊技に慣れた熟練者のみならず、初心者にも確実に報知することができ、興趣に富んだものとすることができる。
【特許文献１】特開２００４−２９０３５３号公報
【発明の開示】
【発明が解決しようとする課題】
【０００６】
しかしながら、上記のような遊技機では、別の観点からのアプローチにより、利便性の高い遊技機が望まれている。
【０００７】
本発明の目的は、利便性の高い遊技機を提供することである。また、本発明の目的は、法令により機能が制限された制御手段の負担を軽減することである。
【課題を解決するための手段】
【０００８】
本発明は、以上のような問題点に鑑みてなされたものであり、遊技機において、停止制御情報格納手段に格納された停止制御情報は、複数のラインのうちの特定ラインにより結ばれた図柄停止位置のうち、予め定めた順番の最後に対応する表示部以外の表示部の図柄停止位置に、遊技者の利益と対応付けられた特定役に対応する図柄組合せを構成する図柄を停止表示し、予め定めた順番の最後に対応する表示部の図柄停止位置に、特定役に対応する図柄組合せを構成する図柄以外の図柄を停止表示するように構成した特定停止制御情報を含み、自動停止手段は、当選役決定手段が特定役を当選役として決定した場合に、特定停止制御情報に基づいて移動表示を停止させることを特徴とする。
【０００９】
より具体的には、本発明では、以下のようなものを提供する。
【００１０】
（１）  遊技者による操作（例えば、後述のスタート操作など）に応じて、単位遊技（例えば、一のゲームなど）の開始を指令する遊技開始指令信号を出力する遊技開始指令手段（例えば、後述のスタートスイッチ６Ｓ、後述の図１１のステップＳ３を行う手段、後述の主制御回路７１など）と、複数種類の図柄を一定方向に移動表示すること及び前記図柄を停止表示することが可能な複数の表示部（例えば、後述の表示窓４Ｌ，４Ｃ，４Ｒなど）を有する図柄表示手段（例えば、後述のリール３Ｌ，３Ｃ，３Ｒ、後述の表示窓４Ｌ，４Ｃ，４Ｒなど）と、前記複数の表示部夫々に対応して設けられ、遊技者による操作（例えば、後述の停止ボタン７Ｌ，７Ｃ，７Ｒの操作など）に応じて、対応する表示部における図柄の移動表示の停止を指令する停止指令信号を出力する停止指令手段（例えば、後述のリール停止信号回路４６など）と、前記遊技開始指令信号を検出したことに基づいて当選役（例えば、後述の内部当選役など）を決定する当選役決定手段（例えば、後述の確率抽選処理を行う手段、後述の主制御回路７１など）と、前記移動表示の停止を制御するための情報である停止制御情報（例えば、後述の停止テーブルなど）を格納する停止制御情報格納手段（例えば、後述のＲＡＭ３３、後述のＲＯＭ３２、後述の主制御回路７１など）と、前記当選役決定手段の決定結果に基づいて、前記停止制御情報格納手段に格納された停止制御情報のうちから前記移動表示の停止の制御（例えば、後述の滑りコマ数の決定など）に用いる停止制御情報を決定する停止制御情報決定手段（例えば、後述の図９のステップＳ７を行う手段、後述の停止テーブルを選択する手段、後述の主制御回路７１など）と、前記停止指令信号を検出したこと（例えば、後述の図１２のステップＳ１４の判別がＹＥＳであることなど）に基づいて、当該停止指令信号に対応する表示部の移動表示を、前記停止制御情報決定手段により決定された停止制御情報に基づいて停止させる停止制御手段（例えば、後述の図１２のステップＳ１７〜ステップＳ１９の処理を行う手段、後述の主制御回路７１など）と、前記複数の表示部が前記図柄を停止表示した場合に、前記表示部毎に予め定めた図柄停止位置（例えば、各表示窓４Ｌ，４Ｃ，４Ｒ毎に３個設けた図柄停止位置など）を結ぶ複数のライン（例えば、後述の表示ラインなど）に沿って並ぶ図柄の種類に基づいて、遊技者の利益（例えば、メダルの払出し、遊技状態の移行など）と対応付けられた役（例えば、後述のベルの小役、ＢＢなど）の図柄組合せが並んでいるか否かを判定する役判定手段（例えば、後述の図１３のステップＳ２２を行う手段、後述の主制御回路７１など）と、前記役判定手段が判定した役に対応する利益を遊技者に付与する利益付与手段（例えば、後述の主制御回路７１、後述の図１３のステップＳ２７の処理を行う手段など）と、前記遊技開始指令信号が出力されたとき、又はその後の所定のとき（例えば、移動表示の速度が定速に移行したときなど）のいずれかのときに計時を開始する計時手段（例えば、後述の図１１のステップＳ１１の自動停止タイマをセットする処理を行う手段、後述の図１２のステップＳ１５の自動停止タイマの監視に係る処理を行う手段、後述���主制御回路７１など）と、前記計時手段による計時時間が所定時間（例えば、３０秒など）である場合（例えば、後述の図１２のステップＳ１５の判別がＹＥＳの場合など）に、前記停止指令信号の検出によらずに前記複数の表示部における前記移動表示を予め定めた順番で停止させる自動停止手段（例えば、後述の図１２のステップＳ１６を行う手段、後述の主制御回路７１など）と、を備え、前記停止制御情報格納手段に格納された停止制御情報は、前記複数のラインのうちの特定ライン（例えば、後述のセンターライン８ｃなど）により結ばれた図柄停止位置のうち、前記予め定めた順番（例えば、いわゆる変則押し、右中左、中右左など）の最後に対応する表示部以外の表示部の図柄停止位置に、遊技者の利益と対応付けられた特定役（例えば、後述のリプレイなど）に対応する図柄組合せを構成する図柄を停止表示し、前記予め定めた順番の最後に対応する表示部の図柄停止位置に、前記特定役に対応する図柄組合せを構成する図柄以外の図柄を停止表示するように構成した特定停止制御情報（例えば、後述の特定停止態様停止テーブルＡ（図９の（１））など）を含み、前記自動停止手段は、前記当選役決定手段が前記特定役を当選役として決定した場合に、前記特定停止制御情報に基づいて前記移動表示を停止させることを特徴とする遊技機。
【００１１】
（１）の発明によれば、自動停止手段は、複数の表示部における移動表示を予め定めた順番で停止させる。停止制御情報格納手段に格納された停止制御情報は、複数のラインのうちの特定ラインにより結ばれた図柄停止位置のうち、予め定めた順番の最後に対応する表示部以外の表示部の図柄停止位置に、遊技者の利益と対応付けられた特定役に対応する図柄組合せを構成する図柄を停止表示し、予め定めた順番の最後に対応する表示部の図柄停止位置に、特定役に対応する図柄組合せを構成する図柄以外の図柄を停止表示するように構成した特定停止制御情報を含む。また、自動停止手段は、当選役決定手段が特定役を当選役として決定した場合に、特定停止制御情報に基づいて移動表示を停止させる。したがって、遊技者は、特定停止制御情報に基づいて停止表示された図柄組合せを確認することにより、自動停止手段が移動表示を停止させたことを確実に把握することができる場合があり、遊技機の利便性を向上させることができる。また、法令により機能が制限された制御手段の負担を軽減することができる。
【００１２】
（２）  （１）記載の遊技機において、前記特定停止制御情報は、前記複数のラインのうちの前記特定ラインにより結ばれた図柄停止位置のうち、前記予め定めた順番の最後に対応する表示部の図柄停止位置に、前記特定役に対応する図柄組合せを構成する図柄以外の図柄であり、かつ前記予め定めた順番の最後に対応する表示部の図柄停止位置のいずれかに停止表示されることにより所定の役（例えば、後述のチェリーの小役など）の成立が確定する図柄（例えば、後述の“チェリー”（図柄９７））以外の図柄を停止表示するように構成したことを特徴とする遊技機。
【００１３】
（２）の発明によれば、上記所定の役の成立が確定する図柄の移動表示及び停止表示を可能とすることにより遊技の多様性を増大させながらも、内部当選していない所定の役が成立すること（いわゆる、誤入賞）を防止しつつ、遊技機の利便性を向上させることができる。
【発明の効果】
【００１４】
本発明によれば、利便性の高い遊技機を提供することができる。また、本発明によれば、法令により機能が制限された制御手段の負担を軽減することができる。
【発明を実施するための最良の形態】
【００１５】
図１は、本発明の一実施例の遊技機１の外観を示す斜視図である。遊技機１は、いわゆる「パチスロ機」である。この遊技機１は、コイン、メダル、遊技球又はトークンなどの他、遊技者に付与された、もしくは付与される遊技価値の情報を記憶したカード等の遊技媒体を用いて遊技する遊技機であるが、以下ではメダルを用いるものとして説明する。
【００１６】
遊技機１の全体を形成しているキャビネット２の正面には、略垂直面としてのパネル表示部２ａが形成され、その中央には縦長矩形の表示窓４Ｌ，４Ｃ，４Ｒが設けられる。表示窓４Ｌ，４Ｃ，４Ｒには、表示ラインとして水平方向にトップライン８ｂ、センターライン８ｃ及びボトムライン８ｄ、斜め方向にクロスアップライン８ａ及びクロスダウンライン８ｅが設けられている。
【００１７】
これらの表示ラインは、後述の１−ＢＥＴスイッチ１１、２−ＢＥＴスイッチ１２、最大ＢＥＴスイッチ１３を操作すること（以下「ＢＥＴ操作」という）、或いはメダル投入口２２にメダルを投入することにより、それぞれ１本、３本、５本が有効化される。どの表示ラインが有効化されたかは、後で説明するＢＥＴランプ９ａ，９ｂ，９ｃの点灯で表示される。
【００１８】
ここで、表示ライン８ａ〜８ｅは、役の成否に関わる。具体的には、所定の役に対応する図柄組合せを構成する図柄がいずれかの有効ライン（有効化された表示ライン）に対応する所定の位置に並んで停止表示されることにより、所定の役が成立することとなる。
【００１９】
また、各表示窓４Ｌ，４Ｃ，４Ｒ内には、夫々縦方向（垂直方向）に３箇所（上段、中段、下段）の図柄停止位置が設けられている。各表示窓４Ｌ，４Ｃ，４Ｒ内の図柄の変動表示（移動表示）が停止した場合には、夫々３個の図柄が停止表示される。各表示ラインは、各表示窓４Ｌ，４Ｃ，４Ｒ内の図柄停止位置を結んでいる。
【００２０】
キャビネット２の内部には、各々の外周面に複数種類の図柄によって構成される図柄列が描かれた３個のリール３Ｌ，３Ｃ，３Ｒが回転自在に横一列に設けられ、変動表示手段を形成している。各リールの図柄は表示窓４Ｌ，４Ｃ，４Ｒを透して観察できるようになっている。各リールは、定速回転（例えば８０回転／分）で回転する。
【００２１】
表示窓４Ｌ，４Ｃ，４Ｒの左側には、１−ＢＥＴランプ９ａ、２−ＢＥＴランプ９ｂ、最大ＢＥＴランプ９ｃ、情報表示部１８が設けられる。１−ＢＥＴランプ９ａ、２−ＢＥＴランプ９ｂ及び最大ＢＥＴランプ９ｃは、一のゲームを行うために賭けられたメダルの数（以下「ＢＥＴ数」という）に応じて点灯する。
【００２２】
１−ＢＥＴランプ９ａは、ＢＥＴ数が“１”で１本の表示ラインが有効化されたとき（１本の有効ラインが設定されたとき）に点灯する。２−ＢＥＴランプ９ｂは、ＢＥＴ数が“２”で３本の表示ラインが有効化されたとき（３本の有効ラインが設定されたとき）に点灯する。最大ＢＥＴランプ９ｃは、ＢＥＴ数が“３”で全て（５本）の表示ラインが有効化されたとき（全て（５本）の有効ラインが設定されたとき）に点灯する。情報表示部１８は、７セグメントＬＥＤから成り、貯留（クレジット）されているメダルの枚数、メダルの払出枚数などを表示する。
【００２３】
表示窓４Ｌ，４Ｃ，４Ｒの下方には水平面の台座部１０が形成され、その台座部１０と表示窓４Ｌ，４Ｃ，４Ｒとの間には液晶表示装置５が設けられている。この液晶表示装置５の表示画面５ａでは、種々の演出表示が行われる。液晶表示装置５の右側にはメダル投入口２２が設けられ、液晶表示装置５の左側には、１−ＢＥＴスイッチ１１、２−ＢＥＴスイッチ１２、及び最大ＢＥＴスイッチ１３が設けられる。
【００２４】
１−ＢＥＴスイッチ１１は、１回の押し操作により、クレジットされているメダルのうちの１枚がゲームに賭けられ、２−ＢＥＴスイッチ１２は、１回の押し操作により、クレジットされているメダルのうちの２枚がゲームに賭けられ、最大ＢＥＴスイッチ１３は、１回のゲームに賭けることが可能な最大枚数のメダルが賭けられる。これらのＢＥＴスイッチ１１，１２，１３を操作することで、前述のとおり、所定の表示ラインが有効化される。
【００２５】
台座部１０の前面部の左寄りには、遊技者がゲームで獲得したメダルのクレジット／払出しを押しボタン操作で切り換えるＣ／Ｐスイッチ１４が設けられている。このＣ／Ｐスイッチ１４の切り換えにより、正面下部のメダル払出口１５からメダルが払出され、払出されたメダルはメダル受け部１６に溜められる。Ｃ／Ｐスイッチ１４の右側には、遊技者の操作により上記リールを回転させ、表示窓４Ｌ，４Ｃ，４Ｒ内での図柄の変動表示（移動表示）を開始するためのスタートレバー６が所定の角度範囲で回動自在に取り付けられている。
【００２６】
台座部１０の前面部中央で、液晶表示装置５の下方位置には、３個のリール３Ｌ，３Ｃ，３Ｒの回転をそれぞれ停止させるための３個の停止ボタン（停止操作手段）７Ｌ，７Ｃ，７Ｒが設けられている。メダル受け部１６の上方の左右には、スピーカ２１Ｌ，２１Ｒが設けられている。なお、実施例では、一のゲーム（単位遊技）は、基本的にスタートレバー６が操作されることにより開始し、全てのリール３Ｌ，３Ｃ，３Ｒが停止したときに終了する。
【００２７】
実施例では、全てのリールが回転しているときに行われるリールの停止操作（停止ボタンの操作）を「第１停止操作」、「第１停止操作」の後に行われる停止操作を「第２停止操作」、「第２停止操作」の後に行われる停止操作を「第３停止操作」という。
【００２８】
図２は、各リール３Ｌ，３Ｃ，３Ｒに表わされた複数種類の図柄が２１個配列された図柄列を示している。各図柄には“００”〜“２０”のコードナンバーが付され、データテーブルとして後で説明するＲＯＭ３２（後述の図５）に格納（記憶）されている。各リール３Ｌ，３Ｃ，３Ｒ上には、“赤７（図柄９１）”、“青７（図柄９２）”、“BAR（図柄９３）”、“ベル（図柄９４）”、“スイカ（図柄９５）”、“Replay（図柄９６）”、及び“チェリー（図柄９７）”の図柄で構成される図柄列が表わされている。各リール３Ｌ，３Ｃ，３Ｒは、図柄列が図２の矢印方向に移動するように回転駆動される。
【００２９】
ここで、実施例の役には、ＢＢ、ＲＢ、リプレイ、スイカの小役、ベルの小役、上下チェリーの小役、及び中チェリーの小役が設けられている。また、ＢＢは、第１種特別役物に係る役物連続作動装置である。ＲＢは、第１種特別役物である。
【００３０】
図３を参照して、決定された内部当選役がリプレイであるゲームにおいて、自動停止又は遊技者の操作による停止が行われた場合における図柄の停止態様について説明する。
【００３１】
自動停止は、スタートレバー６の操作が検知されたとき（後述の図１１のステップＳ１１）から停止ボタン７Ｌ，７Ｃ，７Ｒが操作（停止指令信号が検出）されることなく所定時間（例えば、３０秒）経過した場合に、遊技機が自動的（内部的）に図柄の変動表示を停止させることである。
【００３２】
図３の（１）は、内部当選役としてリプレイが決定された後において、全てのリール３Ｌ，３Ｃ，３Ｒの回転が開始され、リール３Ｌ，３Ｃ，３Ｒが定速回転している状態を示す。この状態では、全ての停止ボタン７Ｌ，７Ｃ，７Ｒの操作が有効である。すなわち、遊技者による停止操作が可能である。
【００３３】
図３の（１）の状態のとき、遊技者による停止操作が行われないまま所定時間が経過すると、自動停止が行われる。自動停止では、遊技者による停止操作によらずにリール３Ｌ，３Ｃ，３Ｒの変動表示動作が自動的に停止制御される。
【００３４】
図３の（２）は、自動停止が行われた場合に停止表示されることになる特定停止態様Ａを示す。この特定停止態様Ａは、センターライン８ｃに沿って“Replay”の図柄が２つ並んだ態様である。すなわち、内部当選役であるリプレイに対応する図柄組合せ（“Replay−Replay−Replay”）に対し一の図柄が欠ける態様である。したがって、自動停止が行われた場合は、決定された内部当選役であるリプレイを成立させることができない。
【００３５】
また、自動停止では、右のリール３Ｒ、中央のリール３Ｃ、左のリール３Ｌの順番（右中左）でリール３Ｌ，３Ｃ，３Ｒの停止制御が行われる。したがって、中央のリール３Ｃが停止した時点では、あと一つ揃えば役に対応する図柄組合せとなる態様（いわゆる「テンパイ」）となる。
【００３６】
また、自動停止が行われる場合は、内部当選役の成立ライン（内部当選役に対応する図柄組合せが並びうる表示ライン）が限定される。具体的には、内部当選役の成立ラインはセンターライン８ｃに限定されている。内部当選役の成立ラインを限定することにより、法令により機能が制限された制御手段の負担を軽減することができる。
【００３７】
図３の（３）は、図３の（１）の状態のとき、遊技者の操作による停止が行われた場合に、表示窓４Ｌ，４Ｃ，４Ｒ内に表示される停止態様を示す。この場合、基本的に、内部当選役であるリプレイに対応する図柄組合せが停止表示されることになる。
【００３８】
図４を参照して、決定された内部当選役がリプレイであるゲームにおいて、自動停止又は遊技者の操作による停止が行われた場合における図柄の停止態様について説明する。
【００３９】
図４の（１）は、内部当選役としてベルの小役が決定された後において、全てのリール３Ｌ，３Ｃ，３Ｒの回転が開始され、リール３Ｌ，３Ｃ，３Ｒが定速回転している状態を示す。この状態では、全ての停止ボタン７Ｌ，７Ｃ，７Ｒの操作が有効である。すなわち、遊技者による停止操作が可能である。
【００４０】
図４の（１）の状態のとき、遊技者による停止操作が行われないまま一定時間が経過すると、自動停止が行われる。自動停止では、遊技者による停止操作によらずにリール３Ｌ，３Ｃ，３Ｒの変動表示動作が自動的に停止制御される。
【００４１】
図４の（２）は、自動停止が行われた場合に表示されることになる特定停止態様Ｂを示す。この特定停止態様Ｂは、クロスダウンライン８ｅに沿って“ベル”の図柄が２つ並んだ態様である。すなわち、内部当選役であるベルの小役に対応する図柄組合せ（“ベル−ベル−ベル”）に対し一の図柄が欠ける態様である。したがって、自動停止が行われた場合は、決定された内部当選役であるベルの小役を成立させることができない。
【００４２】
また、自動停止では、右のリール３Ｒ、中央のリール３Ｃ、左のリール３Ｌの順でリール３Ｌ，３Ｃ，３Ｒの停止制御が行われる。したがって、中央のリール３Ｃが停止した時点では、あと一つ揃えば役に対応する図柄組合せとなる態様（いわゆる「テンパイ」）となる。
【００４３】
また、自動停止が行われる場合は、内部当選役の成立ラインの限定が行われる。この場合には、内部当選役の成立ラインはセンターライン８ｅに限定されている。ここで、内部当選役の成立ラインを限定することにより、法令により機能が制限された制御手段の負担を軽減することができる。
【００４４】
図４の（３）は、図４の（１）の状態のとき、遊技者の操作による停止が行われた場合に、表示窓４Ｌ，４Ｃ，４Ｒ内に表示される停止態様を示す。この場合、内部当選役であるベルの小役に対応する図柄組合せが停止表示されることになる。
【００４５】
ここで、一般に、遊技場では、遊技機の稼働率の低下を防止することを目的として、遊技者が遊技機から離れて休憩をとることを許容する時間（例えば、１０分）を遊技場内のルールとして定めるようにしている。このため、遊技者は、休憩する際、休憩時間をできる限り長くとるために、スタートレバー６を操作してリール３Ｌ，３Ｃ，３Ｒを回転させた状態で休憩に入ることが少なくない。
【００４６】
このようなことから、遊技者が遊技の途中で休憩に入り、遊技が中断されている遊技機では、自動停止が行われる状況の発生頻度が高いと考えられる。また、遊技者が休憩に入る場合、煙草のライターなどをメダル受け部１６に置き、遊技の途中であることを明らかにしておくのが一般的である。
【００４７】
他方、遊技の途中で遊技者が休憩に入っている場合に、遊技場内が暗いなどの理由で上記ライターに気が付かず、遊技機が客待ちの状態であると誤認して遊技を開始してしまう者もいる。このような場合には、遊技者の間で遊技機の取り合いが発生し、遊技場にとって好ましくない事態が生じる場合がある。
【００４８】
したがって、自動停止が行われたときに特定停止態様Ａ又は特定停止態様Ｂを表示することにより、その遊技機が客待ち状態でない可能性が高いことを遊技場内の遊技者に認知させ、遊技機が客待ち状態であるか否かの判断を慎重に行わせることにより、遊技者の間で遊技機の取り合いの発生を防止し、遊技場にとって利便性の高い遊技機を提供することができる。
【００４９】
図５は、遊技機１における遊技処理動作を制御する主制御回路７１と、主制御回路７１に電気的に接続する周辺装置（アクチュエータ）と、主制御回路７１から送信される制御指令に基づいて液晶表示装置５、スピーカ２１Ｌ，２１Ｒ、ＬＥＤ類１０１及びランプ類１０２を制御する副制御回路７２とを含む回路構成を示す。
【００５０】
主制御回路７１は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行うＣＰＵ３１と、記憶手段であるＲＯＭ３２及びＲＡＭ３３を含む。
【００５１】
ＣＰＵ３１には、基準クロックパルスを発生するクロックパルス発生回路３４及び分周器３５と、サンプリングされる乱数を発生する乱数発生器３６及びサンプリング回路３７とが接続されている。なお、乱数サンプリングのための手段として、マイクロコンピュータ３０内で、即ちＣＰＵ３１の動作プログラム上で、乱数サンプリングを実行するように構成してもよい。その場合、乱数発生器３６及びサンプリング回路３７は省略可能であり、或いは、乱数サンプリング動作のバックアップ用として残しておくことも可能である。
【００５２】
マイクロコンピュータ３０のＲＯＭ３２には、スタートレバー６を操作（スタート操作）する毎に行われる乱数サンプリングの判定に用いられる確率抽選テーブル（後述の図８）、停止ボタンの操作に応じてリールの停止態様を決定するための停止テーブル群、副制御回路７２へ送信するための各種制御指令（コマンド）等が格納されている。副制御回路７２が主制御回路７１へコマンド、情報等を入力することはなく、主制御回路７１から副制御回路７２への一方向で通信が行われる。ＲＡＭ３３には、種々の情報が格納される。例えば、フラグ、遊技状態の情報等が格納される。
【００５３】
図５の回路において、マイクロコンピュータ３０からの制御信号により動作が制御される主要なアクチュエータとしては、ＢＥＴランプ（１−ＢＥＴランプ９ａ、２−ＢＥＴランプ９ｂ、最大ＢＥＴランプ９ｃ）と、情報表示部１８と、メダルを収納し、ホッパー駆動回路４１の命令により所定枚数のメダルを払い出すホッパー（払出しのための駆動部を含む）４０と、リール３Ｌ，３Ｃ，３Ｒを回転駆動するステッピングモータ４９Ｌ，４９Ｃ，４９Ｒとがある。
【００５４】
更に、ステッピングモータ４９Ｌ，４９Ｃ，４９Ｒを駆動制御するモータ駆動回路３９、ホッパー４０を駆動制御するホッパー駆動回路４１、ＢＥＴランプ９ａ，９ｂ，９ｃを駆動制御するランプ駆動回路４５、及び情報表示部１８を駆動制御する表示部駆動回路４８がＣＰＵ３１の出力部に接続されている。これらの駆動回路は、それぞれＣＰＵ３１から出力される駆動指令などの制御信号を受けて、各アクチュエータの動作を制御する。
【００５５】
また、マイクロコンピュータ３０が制御指令を発生するために必要な入力信号を発生する主な入力信号発生手段としては、スタートスイッチ６Ｓ、１−ＢＥＴスイッチ１１、２−ＢＥＴスイッチ１２、最大ＢＥＴスイッチ１３、Ｃ／Ｐスイッチ１４、メダルセンサ２２Ｓ、リール停止信号回路４６、リール位置検出回路５０、払出完了信号回路５１がある。
【００５６】
スタートスイッチ６Ｓは、スタートレバー６の操作を検出し、遊技開始指令信号を出力する。メダルセンサ２２Ｓは、メダル投入口２２に投入されたメダルを検出する。リール停止信号回路４６は、各停止ボタン７Ｌ，７Ｃ，７Ｒの操作に応じて停止信号（停止指令信号）を発生する。リール位置検出回路５０は、リール回転センサからのパルス信号を受けて各リール３Ｌ，３Ｃ，３Ｒの位置を検出するための信号をＣＰＵ３１へ供給する。払出完了信号回路５１は、メダル検出部４０Ｓの計数値（ホッパー４０から払出されたメダルの枚数）が指定された枚数データに達した時、メダル払出完了を検知するための信号を発生する。
【００５７】
図５の回路において、乱数発生器３６は、一定の数値範囲に属する乱数を発生し、サンプリング回路３７は、スタートレバー６が操作された後の適宜のタイミングで１個の乱数をサンプリングする。こうしてサンプリングされた乱数及びＲＯＭ３２内に格納されている確率抽選テーブルに基づいて、当選役が決定される。
【００５８】
リール３Ｌ，３Ｃ，３Ｒの回転が開始された後、ステッピングモータ４９Ｌ，４９Ｃ，４９Ｒの各々に供給される駆動パルスの数が計数され、その計数値はＲＡＭ３３の所定エリアに書き込まれる。リール３Ｌ，３Ｃ，３Ｒからは一回転毎にリセットパルスが得られ、これらのパルスはリール位置検出回路５０を介してＣＰＵ３１に入力される。こうして得られたリセットパルスにより、ＲＡＭ３３で計数されている駆動パルスの計数値が“０”にクリアされる。これにより、ＲＡＭ３３内には、各リール３Ｌ，３Ｃ，３Ｒについて一回転の範囲内における回転位置に対応した計数値が格納される。
【００５９】
上記のようなリール３Ｌ，３Ｃ，３Ｒの回転位置とリール外周面上に描かれた図柄とを対応づけるために、図柄テーブル（図示せず）が、ＲＯＭ３２内に格納されている。この図柄テーブルでは、前述したリセットパルスが発生する回転位置を基準として、各リール３Ｌ，３Ｃ，３Ｒの一定の回転ピッチ毎に順次付与されるコードナンバーと、それぞれのコードナンバー毎に対応して設けられた図柄を示す図柄コードとが対応づけられている。
【００６０】
更に、ＲＯＭ３２内には、図柄組合せテーブル（図示せず）が格納されている。この図柄組合せテーブルでは、役に対応する図柄の組合せと、図柄の組合せに対応するメダル配当枚数と、その判定コードとが対応づけられている。上記の図柄組合せテーブルは、左のリール３Ｌ,中央のリール３Ｃ,右のリール３Ｒの停止制御時、及び全リール３Ｌ，３Ｃ，３Ｒの停止後の表示役の確認を行う場合に参照される。表示役は、表示ラインに沿って並ぶ図柄組合せに対応する役（成立役）である。
【００６１】
上記乱数サンプリングに基づく抽選処理（確率抽選処理）に基づいて、ＣＰＵ３１は、遊技者が停止ボタン７Ｌ，７Ｃ，７Ｒを操作したタイミングでリール停止信号回路４６から送られる操作信号、及び選択された「停止テーブル」に基づいて、リール３Ｌ，３Ｃ，３Ｒを停止制御する信号をモータ駆動回路３９に送る。
【００６２】
当選した役を示す停止態様となれば、ＣＰＵ３１は、払出指令信号をホッパー駆動回路４１に供給してホッパー４０から所定個数のメダルの払出を行う。その際、メダル検出部４０Ｓは、ホッパー４０から払出されるメダルの枚数を計数し、その計数値が指定された数に達した時に、メダル払出完了信号がＣＰＵ３１に入力される。これにより、ＣＰＵ３１は、ホッパー駆動回路４１を介してホッパー４０の駆動を停止し、「メダル払出処理」を終了する。
【００６３】
図６は、各遊技状態の発生条件、移行条件、及び移行条件が充足された場合の移行先の遊技状態を示す。各遊技状態では、基本的に、内部当選する役の種類或いはその当選確率が異なる。
【００６４】
実施例の遊技状態には、基本的に、一般遊技状態、ＢＢ遊技状態、ＲＢ遊技状態、ＢＢ持越状態、及びＲＢ持越状態がある。ＢＢ持越状態、及びＲＢ持越状態を、以下「持越状態」という。また、この持越状態中において持ち越された役を、以下「持越役」という。
【００６５】
一般遊技状態は、基本的に、いわゆる「出玉率（遊技に賭けられた単位遊技価値に対して遊技者に付与される遊技価値）」の期待値が“１”よりも小さい遊技状態である。また、後述の持越役がない遊技状態であり、他の遊技状態と比べて遊技者にとって最も不利な遊技状態である。
【００６６】
ＢＢ遊技状態は、ＢＢ一般遊技状態及びＲＢ遊技状態により構成される遊技状態である。また、ＢＢ遊技状態は、基本的に、「第１種特別役物に係る役物連続作動装置」が作動しているゲームにより構成される遊技状態である。
【００６７】
ＲＢ遊技状態は、基本的に、「第１種特別役物」が作動しているゲームにより構成される遊技状態である。
【００６８】
ＢＢ持越状態は、ＢＢに対応する図柄組合せが表示ラインに沿って並ぶこと（ＢＢの成立）が一又は複数のゲームにわたり許容された遊技状態である。
【００６９】
ＲＢ持越状態は、ＲＢに対応する図柄組合せが表示ラインに沿って並ぶこと（ＲＢの成立）が一又は複数のゲームにわたり許容された遊技状態である。
【００７０】
ここで、後述のように、ＢＢ一般遊技状態中において特定の条件が充足することにより、ＲＢに対応する図柄組合せが表示されることなくＲＢ遊技状態が発生（ＲＢ遊技状態に移行）する。また、ＢＢ遊技状態（ＢＢ一般遊技状態及びＢＢ遊技状態中におけるＲＢ遊技状態）中においてＲＢが内部当選した場合は、ＢＢ遊技状態中の一又は複数のゲームにわたりＲＢ持越状態（ＢＢ中ＲＢ持越状態）を発生させ、ＲＢに対応する図柄組合せが表示された場合には、ＲＢ持越状態（ＢＢ中ＲＢ持越状態）からＢＢ遊技状態中におけるＲＢ遊技状態に遊技状態を移行させる。
【００７１】
また、ＢＢ遊技状態中においてＲＢが内部当選した場合、又はＲＢ持越状態中にＲＢに対応する図柄組合せが表示されず、特定の条件が成立した場合にも、現在の遊技状態（例えば、ＢＢ中ＲＢ遊技状態）からＢＢ遊技状態中におけるＲＢ遊技状態に遊技状態を移行させることもできる。しかし、ＲＢ持越状態（ＢＢ中ＲＢ持越状態）中にＢＢ遊技状態の終了条件が成立した場合には、ＲＢ持越状態（ＢＢ中ＲＢ持越状態）から一般遊技状態に遊技状態を移行させるようにしている。他方、一般遊技状態中においてＲＢに内部当選することにより、ＲＢ持越状態へ移行し、ＲＢの持ち越しが行われる。
【００７２】
図６に示すように、ＢＢ遊技状態の発生条件は、ＢＢの成立である。獲得枚数（例えば、いわゆる「純増枚数」或いは「払出枚数」）が所定枚数（例えば、４６６枚）以上となることにより遊技状態の移行条件が成立（充足）し、遊技状態が一般遊技状態へ移行する。
【００７３】
一般遊技状態中におけるＲＢ遊技状態の発生条件は、ＲＢの成立である。所定回数（例えば、１２回）のゲームが終了すること、所定回数（例えば、８回）の成立が実現することという条件のうちのいずれかが成立することにより移行条件が成立し、遊技状態が一般遊技状態へ移行する。
【００７４】
持越状態の発生条件は、ＢＢに内部当選すること、ＲＢに内部当選すること、又はＢＢ遊技状態中においてＲＢに内部当選することのいずれかである。ＢＢ、又はＲＢが成立すること、ＢＢ遊技状態が終了すること、又はＢＢ遊技状態中においてＲＢ遊技状態が開始することにより移行条件が成立し、遊技状態がＢＢ遊技状態、ＲＢ遊技状態、又は一般遊技状態へ移行する。
【００７５】
ＢＢ一般遊技状態の発生条件は、ＢＢが成立すること、又はＢＢ遊技状態中においてＲＢ遊技状態が終了することである。ＢＢ遊技状態が終了すること、又はＢＢ遊技状態中におけるＲＢ遊技状態が開始することにより移行条件が成立し、遊技状態が一般遊技状態又はＲＢ遊技状態へ移行する。
【００７６】
ＢＢ遊技状態中におけるＲＢ遊技状態の発生条件は、ＢＢ一般遊技状態中又はＢＢ遊技状態中におけるＲＢ遊技状態において特定の条件が成立すること、又はＢＢ一般遊技状態中若しくはＢＢ遊技状態におけるＲＢ遊技状態中にＲＢが成立することである。所定回数（例えば、１２回）のゲームが終了すること、所定回数（例えば、８回）の成立が実現すること、又はＢＢ遊技状態が終了することという条件のうちのいずれかが成立することにより移行条件が成立し、遊技状態が一般遊技状態、ＢＢ遊技状態中におけるＲＢ遊技状態、又はＢＢ一般遊技状態へ移行する。
【００７７】
図７を参照して、役と図柄組合せと払出枚数について説明する。
【００７８】
図７の（１）はＢＥＴ数が１の場合、図７の（２）はＢＥＴ数が２の場合、図７の（３）はＢＥＴ数が３の場合の役と図柄組合せと払出枚数を示す。
【００７９】
ＢＢは、“赤７−赤７−赤７”又は“青７−青７−青７”が有効ラインに沿って並ぶことにより成立する（表示役がＢＢとなる）。なお、ＢＢの図柄組合せである「赤７」、「青７」は、別フラグで抽選されることが望ましい。
【００８０】
ＲＢは、“BAR−BAR−BAR”が有効ラインに沿って並ぶことにより成立する。また、ＢＢ一般遊技状態では、“Replay−ベル−Replay”が有効ラインに沿って並ぶことによってもＲＢが成立する。
【００８１】
リプレイは、“Replay−Replay−Replay”が有効ラインに沿って並ぶことにより成立する。リプレイが成立すると、投入したメダルの枚数と同数のメダルが自動投入されるので、遊技者はメダルを消費することなく次のゲームを行うことができる。すなわち、リプレイは、成立することにより遊技価値の投入をすることによらずに遊技を行うことができる役である。
【００８２】
また、「スイカの小役」、「ベルの小役」、「上下チェリー小役」及び「中チェリーの小役」が成立することとなる図柄の組合せは図示の通りである。
【００８３】
図８を参照して、確率抽選テーブル（ＢＥＴ数：３）について説明する。
【００８４】
図８の（１）は、一般遊技状態用確率抽選テーブルを示す。一般遊技状態では、ＢＢ、ＲＢ、リプレイ、スイカの小役、ベルの小役、上下チェリーの小役、及び中チェリーの小役に内部当選する場合がある。
【００８５】
図８の（２）は、ＢＢ一般遊技状態用確率抽選テーブルを示す。ＢＢ一般遊技状態では、ＲＢ１、ＲＢ２、リプレイ、スイカの小役、ベルの小役、上下チェリーの小役、及び中チェリーの小役に内部当選する場合がある。
【００８６】
ここで、ＲＢ１に内部当選した場合（ＲＢ１を持ち越した場合）、内部当選役がハズレであることを条件に、“BAR−BAR−BAR”が有効ラインに沿って並ぶことが許容される。また、ＲＢ２に内部当選した場合（ＲＢ２を持ち越した場合）、内部当選役がハズレであることを条件に、“Replay−ベル−Replay”が有効ラインに沿って並ぶことが許容される。
【００８７】
図８の（３）は、一般遊技状態中におけるＲＢ遊技状態用確率抽選テーブルを示す。このＲＢ遊技状態（一般遊技状態において成立したＲＢであり、以下「一般中のＲＢ遊技状態」という）では、スイカの小役、ベルの小役、上下チェリーの小役、及び中チェリーの小役に内部当選する場合がある。
【００８８】
図８の（４）は、持越状態用確率抽選テーブルを示す。持越状態では、リプレイ、スイカの小役、ベルの小役、上下チェリーの小役、及び中チェリーの小役に内部当選する場合がある。
【００８９】
図８の（５）は、ＢＢ遊技状態中におけるＲＢ遊技状態用確率抽選テーブルを示す。このＲＢ遊技状態（ＢＢ遊技状態において成立したＲＢであり、以下「ＢＢ中のＲＢ遊技状態」という）では、スイカの小役、ベルの小役、上下チェリーの小役、及び中チェリーの小役に内部当選する場合がある。
【００９０】
図９及び図１０を参照して、停止テーブルについて説明する。
【００９１】
停止テーブルには、各リール３Ｌ，３Ｃ，３Ｒの停止開始位置又は停止操作位置と停止制御位置とが示されている。停止開始位置は、後述の自動停止タイマの値が“０”であると判別されたとき、センターライン８ｃに位置していた図柄（具体的には、図柄の中心がセンターライン８ｃの上方に位置し、その中心がセンターライン８ｃの位置に最も近い図柄）のコードナンバーを表わす。
【００９２】
停止操作位置は、各リール３Ｌ，３Ｃ，３Ｒに対応して設けられた停止ボタン７Ｌ，７Ｃ，７Ｒが操作された場合に、センターライン８ｃに位置していた図柄のコードナンバーを表わす。停止制御位置は、停止操作が行われたリールが停止したとき、センターライン８ｃの位置に停止表示される図柄のコードナンバーを表わす。
【００９３】
ここで、実施例では、いわゆる滑りコマ数を最大“４コマ”としている。例えば、右のリール３Ｒの回転中において、コードナンバー“１４”の“Replay”がセンターライン８ｃの位置に到達したとき、停止ボタン７Ｒが操作された場合、コードナンバー“１０”の“Replay”をセンターライン８ｃの位置に停止表示するように右のリール３Ｒを停止制御することができる。
【００９４】
図９の（１）は、特定停止態様停止テーブルＡ（特定停止制御情報）を示す。この停止テーブルは、内部当選役がリプレイであるゲームにおいて、自動停止を行う場合に使用される。
【００９５】
図９の（１）において、右のリール３Ｒの停止制御位置は、コードナンバー“０１”、“０５”、“１０”、“１４”又は“１８”である。図２に示す図柄列において、これらに対応する図柄は“Replay”である。したがって、右の表示窓４Ｒには、中段に“Replay”が表示される。
【００９６】
図９の（１）において、中央のリール３Ｃの停止制御位置は、コードナンバー“０４”、“０８”、“１２”、“１６”又は“２０”である。図２に示す図柄列において、これらに対応する図柄は“Replay”である。したがって、中央の表示窓４Ｃには、中段に“Replay”が表示される。
【００９７】
すなわち、特定停止態様停止テーブルＡは、複数のラインのうちの特定ライン（センターライン８ｃ）により結ばれた図柄停止位置（各表示窓４Ｌ，４Ｃ，４Ｒの中段の位置）のうち、予め定めた順番（右中左）の最後に対応する表示部（左の表示窓４Ｌ）以外の表示部（中央及び右の表示窓４Ｃ，４Ｒ）の図柄停止位置に、遊技者の利益と対応付けられた特定役（リプレイ）に対応する図柄組合せを構成する図柄（Replay）を停止表示するように構成されている。
【００９８】
図９の（１）において、左のリール３Ｌの停止制御位置は、コードナンバー“００”、“０２”、“０４”、“０６”、“１０”、“１１”、“１３”、“１８”又は“２０”である。図２に示す図柄列において、これらに対応する図柄が“Replay”となる場合はない。したがって、左の表示窓４Ｌの中段に“Replay”が表示されることはない。
【００９９】
すなわち、特定停止態様停止テーブルＡは、複数のラインのうちの特定ライン（センターライン８ｃ）により結ばれた図柄停止位置（各表示窓４Ｌ，４Ｃ，４Ｒの中段の位置）のうち、予め定めた順番（右中左）の最後に対応する表示部（左の表示窓４Ｌ）の図柄停止位置に、特定役（リプレイ）に対応する図柄組合せを構成する図柄（Replay）以外の図柄を停止表示するように構成されている。
【０１００】
また、特定停止態様停止テーブルＡは、内部当選していない役が成立しないように構成されている（誤入賞を防止）。例えば、内部当選していないチェリーの小役が成立しないように、“チェリー”（図柄９７）を表示部（左の表示窓４Ｌ）の図柄停止位置に停止させないようにしている。
【０１０１】
以上のように、図９の（１）に示す特定停止態様停止テーブルＡが使用されたとき（自動停止が行われたとき）は、停止開始位置がいずれの場合であっても、センターライン８ｃに沿って“Replay”の図柄が２つ並んだ態様が表示されるので、図３の（２）に示すような特定停止態様Ａが表示されることになる。
【０１０２】
また、特定停止態様停止処理（後述の図１２のステップＳ１６）により、リール３Ｌ，３Ｃ，３Ｒの停止制御は、右のリール３Ｒ、中央のリール３Ｃ、左のリール３Ｌの順番で行われる。したがって、中央のリール３Ｃの回転が停止した時点では、あと一つ揃えば役に対応する図柄組合せとなる態様（いわゆる「テンパイ」）となる。
【０１０３】
このように、特定停止態様停止テーブルＡを設けることにより、自動停止に対応する制御を一の停止テーブルで行うことが可能となるので、データ容量の使用を最小限にすることが可能となり、別の用途に使用する領域を記憶手段（ＲＯＭ３２及びＲＡＭ３３）に確保することができる。
【０１０４】
なお、停止テーブルを設けずに、停止させることが可能な停止位置を検索し、その検索結果に基づいてリールを停止させる手法で自動停止を行うようにしてもよい。具体的には、所定時間（例えば“３０”秒）が経過後、停止制御位置とすることが可能な位置の検索を行い、その位置のうち、早期にリールを停止させることが可能な位置を停止制御位置とするようにしてもよい。
【０１０５】
このように、停止制御位置とすることが可能な位置の検索をすることで、停止テーブルを用いずに自動停止が可能となるので、データの量を少なくすることができ、別の用途に使用する領域を記憶手段（ＲＯＭ３２及びＲＡＭ３３）に確保することができる。
【０１０６】
また、自動停止を行う場合、複数設けられたリールのうち、少なくとも一のリールを停止テーブルに基づいて停止させ、その他のリールを上記検索の結果に基づいて停止させることもできる。
【０１０７】
図９の（２）は、リプレイ停止テーブルを示す。この停止テーブルは、内部当選役がリプレイである場合（自動停止以外の場合）に使用される。
【０１０８】
リプレイ停止テーブルを用いた場合、左の表示窓４Ｌの中段には“Replay”が停止表示される。中央の表示窓４Ｃの中段には“Replay”が停止表示される。右の表示窓４Ｒの中段には“Replay”が停止表示される。したがって、リプレイ停止テーブルが使用された場合は、図３の（３）に示すように、センターライン８ｃに沿って“Replay−Replay−Replay”が並び、内部当選役であるリプレイが成立することになる。
【０１０９】
図１０の（１）は、特定停止態様停止テーブルＢ（特定停止制御情報）を示す。この停止テーブルは、内部当選役がベルの小役であるゲームにおいて、自動停止を行う場合に使用される。
【０１１０】
図１０の（１）において、右のリール３Ｒの停止制御位置は、コードナンバー“０１”、“０５”、“１０”、“１４”又は“１８”である。図２に示す図柄列において、これらに対応する図柄の下には“ベル”が配置されている。したがって、右の表示窓４Ｒには、下段に“ベル”が表示される。
【０１１１】
図１０の（１）において、中央のリール３Ｃの停止制御位置は、コードナンバー“０２”、“０６”、“１０”、“１４”又は“１８”である。図２に示す図柄列において、これらに対応する図柄は“ベル”である。したがって、中央の表示窓４Ｃには、中段に“ベル”が表示される。
【０１１２】
図１０の（１）において、左のリール３Ｌの停止制御位置は、コードナンバー“００”、“０１”、“０２”、“０５”、“０６”、“１０”、“１２”、“１３”、“１７”、“１８”又は“１９”である。図２に示す図柄列において、これらに対応する図柄の上に“ベル”が位置する場合はない。したがって、左の表示窓４Ｌの上段に“ベル”が表示されることはない。
【０１１３】
以上のように、図１０の（１）に示す特定停止態様停止テーブルＢが使用されたとき（自動停止が行われたとき）は、停止開始位置がいずれの場合であっても、クロスダウンライン８ｅに沿って“ベル”の図柄が２つ並んだ態様が表示されるので、図４の（２）に示すような特定停止態様Ｂが表示されることになる。
【０１１４】
また、後述の特定停止態様停止処理により、リール３Ｌ，３Ｃ，３Ｒの停止制御は、右のリール３Ｒ、中央のリール３Ｃ、左のリール３Ｌの順番で行われる。したがって、中央のリール３Ｃの回転が停止した時点では、あと一つ揃えば役に対応する図柄組合せとなる態様（いわゆる「テンパイ」）となる。
【０１１５】
図１０の（２）は、ベルの小役停止テーブルを示す。この停止テーブルは、内部当選役がベルの小役である場合（自動停止以外の場合）に使用される。
【０１１６】
ベルの小役停止テーブルを用いた場合、左の表示窓４Ｌの下段には“ベル”が停止表示される。中央の表示窓４Ｃの中段には“ベル”が停止表示される。右の表示窓４Ｒの上段には“ベル”が停止表示される。したがって、ベルの小役停止テーブルが使用された場合は、図４の（３）に示すように、クロスアップライン８ａに沿って“ベル−ベル−ベル”が並び、内部当選役であるベルの小役が成立することになる。
【０１１７】
図１１〜図１３に示すメインフローチャートを参照して、主制御回路７１の制御動作について説明する。
【０１１８】
初めに、ＣＰＵ３１は、遊技開始時の初期化を行う（ステップＳ１）。具体的には、ＲＡＭ３３の記憶内容の初期化、通信データの初期化等を行う。続いてゲーム終了時のＲＡＭ３３の所定の記憶内容（所定の記憶領域（例えば、内部当選役を記憶する領域）の情報）を消去し（ステップＳ２）、ステップＳ３に移る。具体的には、前回のゲームに使用されたＲＡＭ３３の書き込み可能エリアのデータの消去、ＲＡＭ３３の書き込みエリアへの次のゲームに必要なパラメータの書き込み、次のゲームのシーケンスプログラムの開始アドレスの指定等を行う。
【０１１９】
ステップＳ３では、メダル投入・スタートチェック処理を行い、ステップＳ４に移る。この処理では、スタートスイッチ６Ｓ、メダルセンサ２２Ｓ、又はＢＥＴスイッチ１１〜１３からの入力に基づいて、ＢＥＴ数の更新などの処理を行う。ステップＳ４では、抽選用の乱数を抽出し、ステップＳ５に移る。この処理で抽出した乱数は、後で説明する確率抽選処理において使用される。
【０１２０】
ステップＳ５では、遊技状態監視処理を行い、ステップＳ６に移る。ステップＳ６では、後で図１４を参照して説明する確率抽選処理を行い、ステップＳ７に移る。ステップＳ７では、内部当選役などに基づいて停止テーブルを選択するための停止テーブル選択処理を行い、ステップＳ８に移る。例えば、内部当選役がリプレイの場合には、図９の（２）のリプレイ停止テーブルを選択する。
【０１２１】
ステップＳ８では、スタートコマンドをセットし、ステップＳ９に移る。スタートコマンドは、遊技状態、内部当選役などの情報を含み、副制御回路７２に送信される。ステップＳ９では、前回のゲームが開始してから“４．１秒”経過しているか否かを判別する。この判別がＹＥＳのときは、ステップＳ１１に移り、ＮＯのときは、ステップＳ１０に移る。
【０１２２】
ステップＳ１０では、ゲーム開始待ち時間消化の処理（ウェイト処理）を行い、ステップＳ１１に移る。具体的には、前回のゲームが開始してから所定時間（例えば、所定秒（“４．１秒”など））経過するまでの間、遊技者のゲームを開始する操作に基づく入力を無効にする処理を行う。ステップＳ１１では、ゲーム監視用タイマをセットし、ステップＳ１２に移る。このゲーム監視用タイマには、遊技者の停止ボタン７Ｌ，７Ｃ，７Ｒの停止操作によらずに自動的にリール３Ｌ，３Ｃ，３Ｒを停止させるための自動停止タイマが含まれる。
【０１２３】
実施例では、自動停止タイマを“３０秒”に設定するようにしている。ステップＳ１１では、ＲＡＭ３３の所定領域に格納された自動停止タイマに“３０秒”を示す値（情報）をセットする。なお、自動停止タイマに設定する時間としては、“３０秒”に限らず、任意の時間を適宜設定することができる。
【０１２４】
ステップＳ１２では、全リールの回転開始を要求し、ステップＳ１３に移る。ステップＳ１３では、リール停止許可コマンドをセットし、図１２のステップＳ１４に移る。
【０１２５】
ステップＳ１４では、ストップスイッチが“オン”か否か、すなわちいずれかの停止ボタン７Ｌ，７Ｃ，７Ｒが操作されたかどうかを判別する。この判別がＹＥＳのときは、ステップＳ１７に移り、ＮＯのときは、ステップＳ１５に移る。ステップＳ１５では、自動停止タイマの値が“０”であるか否かを判別する。即ち、“３０秒”が経過したか否かを判別する。この判別がＹＥＳのときは、ステップＳ１６に移り、ＮＯのときは、ステップＳ１４に移る。
【０１２６】
このように、いずれの停止ボタン７Ｌ，７Ｃ，７Ｒも操作されていない場合に、自動停止タイマの値が“０”か否かの判別を行うことにより、遊技者による停止操作によらずにリール３Ｌ，３Ｃ，３Ｒの変動表示を停止させるようにすることができる。
【０１２７】
ステップＳ１６では、特定停止態様停止処理を行い、ステップＳ２１に移る。このステップＳ１６では、図９の（１）又は図１０の（１）の特定停止態様停止テーブルＡ又は特定停止態様停止テーブルＢに基づいて、リール３Ｌ，３Ｃ，３Ｒの停止制御を行う。
【０１２８】
したがって、このステップＳ１６を経由したゲームの場合は、例えば、後で図１４を参照して説明する確率抽選処理で決定された内部当選役に対応する図９の（１）の特定停止態様停止テーブルＡ又は図１０の（１）の特定停止態様停止テーブルＢが選択され、これに基づいて、特定停止態様Ａ又は特定停止態様Ｂが停止表示されることとなる。
【０１２９】
具体的には、ステップＳ１６では、ステップＳ１４で自動停止タイマの値が“０”であると判別されたときを基準として（そのときの停止開始位置に対応する停止制御位置で停止させるように）、右のリール３Ｒを停止制御する。次に、右のリール３Ｒの回転が停止した後から“０．２秒”が経過したときを基準として中央のリール３Ｃを停止制御する。次に、中央のリール３Ｃの回転が停止した後から“０．２秒”が経過したときを基準として、左のリール３Ｌの回転を停止制御する。
【０１３０】
このようにすることで、右のリール３Ｒ、中央のリール３Ｃ、左のリール３Ｌの順番でリール３Ｌ，３Ｃ，３Ｒを停止制御することができる。なお、リール３Ｌ，３Ｃ，３Ｒを順次停止させる時間間隔としては、“０．２秒”に限らず、任意の時間を適宜設定することができる。
【０１３１】
ステップＳ１７では、滑りコマ数決定処理を行い、ステップＳ１８に移る。ステップＳ１８では、ステップＳ１７で決定された滑りコマ数分、停止操作された停止ボタン７Ｌ，７Ｃ，７Ｒに対応するリール３Ｌ，３Ｃ，３Ｒが回転するのを待ち、ステップＳ１９に移る。
【０１３２】
ステップＳ１９では、リールの回転停止を要求し、ステップＳ２０に移る。ステップＳ２０では、リールの停止コマンドセットを行い、ステップＳ２１に移る。ステップＳ２１では、全てのリールが停止したか否かを判別する。この判別がＹＥＳのときは、図１３のステップＳ２２に移り、ＮＯのときは、ステップＳ１４に移る。
【０１３３】
図１３のステップＳ２２では、表示役検索処理を行い、ステップＳ２３に移る。表示役検索処理では、表示窓４Ｌ，４Ｃ，４Ｒの図柄の停止態様に基づいて表示役（成立役）を識別するためのフラグをセットすることである。ステップＳ２３では、イリーガルヒットであるか否か、すなわち内部当選役と表示役との間で不整合があるかどうかを判別する。この判別がＹＥＳのときは、ステップＳ２４に移り、ＮＯのときは、ステップＳ２５に移る。ステップＳ２４では、イリーガルエラーの表示を行う。この場合、遊技は中止となる。
【０１３４】
ステップＳ２５では、表示役の情報を含む表示役コマンドをセットし、ステップＳ２６に移る。ステップＳ２６では、表示役に対応する払出枚数が０であるか否かを判別する。この判別がＹＥＳのときは、ステップＳ２８に移り、ＮＯのときは、ステップＳ２７に移る。ステップＳ２７では、メダルの貯留（クレジット）又は払い出しを行い、ステップＳ２８に移る。ステップＳ２８では、払出終了コマンドをセットし、ステップＳ２９に移る。
【０１３５】
ステップＳ２９では、ＲＢ作動中フラグ又はＢＢ作動中フラグが“オン”であるか否かを判別する。この判別がＹＥＳのときは、ステップＳ３１に移り、“ＮＯ”のときは、ステップＳ３０に移る。ＲＢ作動中フラグは、ＲＢ遊技状態であるか否かを識別するための情報であり、ＲＢ遊技状態であるときに“オン”であり、ＲＢ遊技状態でないときに“オフ”である。ＢＢ作動中フラグは、ＢＢ遊技状態であるか否かを識別するための情報であり、ＢＢ遊技状態であるときに“オン”であり、ＢＢ遊技状態でないときに“オフ”である。したがって、ＢＢ中のＲＢ遊技状態では、両方のフラグが“オン”である。一般中のＲＢ遊技状態では、ＲＢ作動中フラグが“オン”、ＢＢ作動中フラグが“オフ”である。
【０１３６】
ステップＳ３０では、ＲＢ、ＢＢ作動チェック処理を行い、図１１のステップＳ２に移る。ステップＳ３１では、ＲＢ、ＢＢ作動チェック処理を行い、図１１のステップＳ２に移る。
【０１３７】
図１４を参照して、確率抽選処理について説明する。
【０１３８】
初めに、ＣＰＵ３１は、ＲＢ遊技状態又はＢＢ一般遊技状態であるか否かを判別する（ステップＳ４１）。この判別がＹＥＳのときは、ステップＳ４２に移り、ＮＯのときは、ステップＳ４３に移る。ステップＳ４２では、ＲＢ遊技状態用又はＢＢ一般遊技状態用の確率抽選テーブル（図８の（２））に基づいて内部当選役を決定し、ステップＳ４６に移る。
【０１３９】
ステップＳ４３では、持越状態であるか否かを判別する。この判別がＹＥＳのときは、ステップＳ４４に移り、ＮＯのときは、ステップＳ４５に移る。ステップＳ４４では、持越状態用の確率抽選テーブル（図８の（４））に基づいて内部当選役を決定し、ステップＳ４６に移る。ステップＳ４５では、一般遊技状態用確率抽選テーブル（図８の（１））に基づいて内部当選役を決定し、ステップＳ４６に移る。
【０１４０】
ステップＳ４６では、内部当選役がＲＢ又はＢＢであるか否かを判別する。この判別がＹＥＳのときは、ステップＳ４７に移り、ＮＯのときは、図１１のステップＳ７に移る。ステップＳ４７では、内部当選役に基づいて、持越役をセットし、図１１のステップＳ７に移る。
【０１４１】
以上、実施例について説明したが、本発明はこれに限られるものではない。
【０１４２】
実施例では、遊技開始指令信号が出力されたときに、自動停止に関する計時を開始するようにしているが、これに限られるものではない。所定のとき、例えば、いずれか一のリールが回転（移動表示を開始）したとき、いずれか一のリールが定速回転に到達したとき、或いは全てのリールが定速回転に到達したときに、自動停止に関る計時を開始するようにしてもよい。
【０１４３】
実施例では、内部当選役がリプレイ及びベルの小役の場合について、自動停止による特定停止態様Ａ又は特定停止態様Ｂの停止表示を行うようにしているが、これに限られるものではない。例えば、任意の内部当選役（例えば、ＢＢなど）について、当該内部当選役に対応する特定停止態様停止テーブルを設け、自動停止時には当該内部当選役に対応する特定停止態様を停止表示させることもできる。このとき、特定停止態様は、内部当選役に対応する図柄組合せに対し一の図柄が欠ける態様とすることができる。
【０１４４】
実施例では、自動停止が行われた場合に、特定停止態様（特定停止態様Ａなど）を表示させるようにしているが、これに限られるものではない。例えば、遊技者による停止操作があった場合に、特定の役（ＢＢ、ＲＢなど）に内部当選したこと（持越状態であること）を遊技者に報知するための図柄組合せ（持越状態でのみ表示されうるいわゆるリーチ目）として、特定停止態様（特定停止態様Ａなど）を停止表示させるようにしてもよい。このようにすることで、遊技の多様性を増大させることができる場合がある。
【０１４５】
また、自動停止が行われた場合に、遊技者による停止操作が行われなかったために特定停止態様（特定停止態様Ａなど）が表示された旨を報知する報知手段（例えば、液晶表示装置５など）を設けるようにしてもよい。このようにすることで、特定停止態様（特定停止態様Ａなど）と自動停止との関係を遊技者に明示することができる場合がある。また、例えば、遊技者がリーチ目と勘違いすることを防ぐことができる。
【０１４６】
更に、本実施例のような遊技機１の他、パチンコ遊技機、パチロット等の他の遊技機にも本発明を適用できる。さらに、上述の遊技機１での動作を家庭用ゲーム機用として擬似的に実行するようなゲームプログラムにおいても、本発明を適用してゲームを実行することができる。その場合、ゲームプログラムを記録する記録媒体は、ＣＤ−ＲＯＭ、ＦＤ（フレキシブルディスク）、その他任意の記録媒体を利用できる。
【図面の簡単な説明】
【０１４７】
【図１】外観を示す斜視図である。
【図２】リール上に配列された図柄の例を示す図である。
【図３】表示窓内の図柄の停止態様を示す図である。
【図４】表示窓内の図柄の停止態様を示す図である。
【図５】電気回路の構成を示すブロック図である。
【図６】各遊技状態の発生条件、移行条件及び移行先遊技状態を示す図である。
【図７】役と図柄組合せと払出枚数との関係を示す図である。
【図８】確率抽選テーブルを示す図である。
【図９】停止テーブルを示す図である。
【図１０】停止テーブルを示す図である。
【図１１】主制御回路のメインフローチャートである。
【図１２】図１１に続くフローチャートである。
【図１３】図１２に続くフローチャートである。
【図１４】確率抽選処理を示すフローチャートである。
【符号の説明】
【０１４８】
１    遊技機
２    キャビネット
３Ｌ，３Ｃ，３Ｒ    リール
６    スタートレバー
７Ｌ，７Ｃ，７Ｒ    停止ボタン
３０    マイクロコンピュータ
３１    ＣＰＵ
３２    ＲＯＭ
３３    ＲＡＭ
７１    主制御回路
７２    副制御回路
【図１】
2006149573.tif 000003
【図２】
2006149573.tif 000004
【図３】
2006149573.tif 000005
【図４】
2006149573.tif 000006
【図５】
2006149573.tif 000007
【図６】
2006149573.tif 000008
【図７】
2006149573.tif 000009
【図８】
2006149573.tif 000010
【図９】
2006149573.tif 000011
【図１０】
2006149573.tif 000012
【図１１】
2006149573.tif 000013
【図１２】
2006149573.tif 000014
【図１３】
2006149573.tif 000015
【図１４】
2006149573.tif 000016